(57)【特許請求の範囲】
【請求項１】
通気孔を有する蓋体と、少なくもその一部が内部透視性を有し、空気取入れ口を成す底部開口及び前記蓋体を保持する上部開口とを有する中空容器と、該中空容器内の空気を攪拌する送風手段と、前記中空容器に収納される多数の軽量籤片と、を備える風力抽選機において、前記送風手段が前記中空容器の底部開口に設けられた軸流ファンであって、籤片取出口が前記蓋体の通気孔と同一面に隣接して形成されていること、を特徴とする風力抽選機。
【請求項２】
前記通気孔と同一面に隣接して形成される籤片取出口は、籤片取出しに係る開口部面積が、該籤片取出口周囲に設けられた排出口の開口面積よりも小さくなるように形成されていること、を特徴とする請求項１に記載の風力抽選機。
【請求項３】
前記通気孔の開口が、円弧状に並んだ複数の小孔より成ること、を特徴とする請求項１もしくは２のいずれかに記載の風力抽選機。
【請求項４】
前記通気孔の開口が、金網状に形成されていること、を特徴とする請求項１もしくは２のいずれかに記載の風力抽選機。
【発明の詳細な説明】
【０００１】
【発明の属する技術分野】
本発明は、内部透視性を有する中空容器内で、送風機の空気流により浮遊・乱舞する軽量籤片を把持取得することで抽選するようにした風力抽選機に関する。
【０００２】
【従来の技術】
詳細は省略するが、空気式ゲーム装置として実公昭６２−１７８９７号公報や、特許第２７９９５５７号公報に見るように、容器内で乱舞する軽量籤片を把持することで抽選を行なうゲーム装置は多種知られている。
【０００３】
上述公知文献に見る周知技術は、容器内での空気の撹乱で籤片を乱舞させ、把持取得操作での興趣を鼓舞するために、種々工夫が成されている。その手段は、いずれも中空容器の外部に送風機が設けられ、当該容器の壁面を貫通する通風ダクトにより、容器内に撹乱気流を送り込むようにしている。夫々、軽量籤片が縦横に浮遊・乱舞するように、容器の形状や付帯機構、空気の流入口の向きに工夫が加えられているほか、浮遊・乱舞を促し、滞留・堆積を防止する等のために、当該軽量籤片の形状等にも改善の跡は見られるが、なお、収納されている軽量籤片の浮遊や、堆積防止の面で改良の余地を残しているのが実態であった。
【０００４】
また、図４に示す本発明に係る風力抽選機１の例の外観全体や、図５の蓋体２を嵌着保持する中空容器３の上部開口３−１を説明する略図に見るように、底部開口３−２に直接設けられた軸流ファン４を送風手段とし、中空容器３に収納された軽量籤片５を吹き上げ、浮遊乱舞させる構成も提案されているが、籤片５の数の変化や当該籤片５の浮遊状況によって、蓋体２の排出口２−１に連通する天井部の通気孔３−１１への籤片５の堆積が進むこともあって、操作による把持取得の興趣を殺ぐことが避けられないでいるのが現実であった。
【０００５】
そして、上述籤片５の張り付きや堆積を抑制すべく、中空容器３の内部の乱流を高める為の容器内壁の構造や、送風手段である軸流ファン４の取付位置の改善等、対策は種々採られてきているが、操作の累積での籤片数の変化等も絡み、その対策に多くのコストを伴うのが実態であった。
【０００６】
【発明が解決しようとする課題】
上述の如き従来の構成は、操作時の中空容器に収納される軽量籤片の浮遊・乱舞を確保し、前記中空容器上部開口に設けられた通気孔への当該籤片の、張り付きや堆積の抑制を図るための工夫が、全体の構造を複雑なものとしていることが課題であった。
【０００７】
【課題を解決するための手段】
本発明に成る風力抽選機は、通気孔を有する蓋体と、少なくもその一部が内部透視性を有し、空気取入れ口を成す底部開口及び前記蓋体を保持する上部開口を有する中空容器と、該中空容器内の空気を攪拌する送風手段と、前記中空容器に収納される多数の軽量籤片と、を備えると共に、前記送風手段が前記中空容器の底部開口に設けられた軸流ファンであって、籤片取出口が前記蓋体の通気孔に隣接して形成され、該通気孔が円弧状に並んだ複数の小孔として、もしくは金網状に形成され、いずれにおいても該通気孔に隣接して形成される籤片取出口は、籤片取出しに係る開口部面積が、該籤片取出口周囲に設けられた通気孔の開口面積よりも小さくなるように形成されている。
【０００８】
【発明の実施の形態】
以下図面によって本発明の実施例を説明する。
【０００９】
【実施例】
図１は本発明に成る風力抽選機１の例の外観全体を示すが、上述従来技術の例として図５に示す据え置きタイプの大型のものではなく、本発明において主たる対象とする卓上タイプの構成として例示している。中空容器３には底部開口３−２が設けられており、中空容器内の空気攪拌手段として、ここに軸流ファン４を配置し、該軸流ファン４の風圧で当該中空容器３内に収納された軽量籤片５を浮遊・乱舞させるようにしている。しかし、この構成では、軸流ファン４がその基本的機能から旋回流としての送風手段であるので、、空気の流れは図３に示すように、中空容器３の内壁に沿う渦巻き状の上昇気流となる。
【００１０】
従って、底部開口３−２に設ける軸流ファン４を攪拌手段とするときは、中空容器３の内壁の形状等に工夫を凝らし、当該中空容器３の内部での乱流を誘発することも有効であるが、全体構成の簡素化を念頭に置いて、中空容器３の内壁を円筒状の単純な形状のままとし、空気の流れを、軸流ファン４が発生する旋回流の儘に該円筒状の内壁に沿って上昇することを利用する点に本願発明の狙いがある。
【００１１】
即ち、円筒状の中空容器３の内壁に沿って上昇する渦巻き状の空気の流れが主体となると、該空気の流れで巻き上げられる前記中空容器３に収納された軽量籤片５が、上部開口３−１に併設される蓋体２の通気孔２−２に直接向かって行くことは容易に理解できる。本願発明は、この現象を利用すべく、図１に見るように、籤片取出口６を蓋体２の通気孔２−２に隣接に近接して天井部に設けている。
【００１２】
蓋体２には、例えば図２の上面図に示すように、底部開口３−２に設けられた軸流ファン４の空気が外部に排出される通気孔２−２と共に、その中心部に可撓性を備えスリット６−１で分割されて、軽量籤片５を把持するために操作者が手を挿入できるように開閉可能な籤片取出口６が設けられ、その周辺の通気孔２−２は円弧状に配置される多数の小孔として形成されている。
【００１３】
通気孔２−２に向かう排出空気で吹き上げられた軽量籤片５が、蓋体２の内部近傍で浮遊する事で、隣接する籤片取出口６からの把持取得を実現する。
【００１４】
ところが、籤片取出口６へ手を挿入して軽量籤片を把持しようとするとき、籤片取出口６が押し広げられると、通気孔２−２からの空気の流出と共に、籤片取出口６からの空気の流出も増えるので、ここから、把持対象外の軽量籤片５が飛び出す懸念がある。この懸念を解消するために、籤片取出口６の開口面積を、押し広げた状態でも、隣接する周囲の通気孔２−２の開口面積よりも小さくなるようにしておく。中空容器３の内部での軽量籤片５の吹き上げに必要な空気の流れを越えた分が、主として通気孔から流出するようにするものである。
【００１５】
なお、前記通気孔は、円弧状に形成されている小孔によるもの２−２に限定されるものではなく、例えば金網状に形成されている等、任意選択可能である。
【００１６】
【発明の効果】
本発明に成る風力抽選機は、送風手段として軸流ファンを使用することによる旋回流を利用し、上部蓋体の通気孔に隣接して籤片取出口を設けることで、籤片堆積・滞留を抑制しながら、興趣を損なうこと無しに全体構成の簡素化を実現している。
【図面の簡単な説明】
【図１】本発明に成る卓上型風力抽選機の例の全体像を示す斜視図である。
【図２】図１に係る通気孔及び籤片取出口を示す上面図である。
【図３】図１に係る旋回流を説明する正面図である。
【図４】従来技術に成る据置型風力抽選機の例の全体像を示す斜視図である。
【図５】図４に係る説明図である。
【符号の説明】
１        風力抽選機
２        蓋体
２−１    排出口
２−２    通気孔
３        中空容器
３−１    上部開口
３−１１  天井部の通気孔
３−２    底部開口
４        軸流ファン
５        軽量籤片
６        籤片取出口
６−１    スリット
７        軸流ファンによる旋回流
【図１】
0003558336.tif 000002
【図２】
0003558336.tif 000003
【図３】
0003558336.tif 000004
【図４】
0003558336.tif 000005
【図５】
0003558336.tif 000006